(57)【要約】【課題】前カバーを分離するときに本体基部の連れ上がりを防止する。【解決手段】レンズ付きフイルムユニットは、リサイクル時に、撮影レンズ５を上方に向けた姿勢で前カバー１４を本体基部から分離する。分離は、複数の解除爪８０〜８７を結合部に挿入して爪結合を解除し、その後に分離爪８０〜８７のうちの対向する一対の分離爪８０，８１の一方を他方に向けて近づけて前カバー１４を保持し、次に分離爪８０，８１を挿入方向とは逆の方向に移動させて前カバー１４を本体基部から分離する。このとき、複数の押さえ部材７５，７６を前カバー１４に設けた開口５２，５４を通して内部の本体基部に押し当てて本体基部の連れ上がりを防止する。【選択図】　　　　図４
2004021066.tif 000002
【特許請求の範囲】
【請求項１】
製造時に写真フイルムとパトローネとを装填する本体基部と、その本体基部の外周の一部を覆う外カバーとの２部品のうちのいずれかに複数の係止爪を、他方に前記係止爪に対応して被係止部を一体に形成し、前記係止爪と被係止部との係合により前記外カバーと内蔵部品とを互いに結合したレンズ付きフイルムユニットの分解装置において、
レンズ付きフイルムユニットを分解位置まで搬送して一定の姿勢で位置決めした後に、前記係止爪と被係止部との係合部に複数の解除爪をそれぞれ挿入して係止爪を撓ませながら被係止部との係合を解除するとともに、前記複数の解除爪のうちの互いに対向し合う少なくとも一対の解除爪の一方を他方に向けて移動させて前記外カバーを保持した後に、前記一対の解除爪を挿入方向とは逆の方向に、前記係止爪が被係止部との結合部を乗り越える高さまで移動して前記外カバーを本体基部から分離する結合解除・分離機構と、
前記結合解除・分離機構が外カバーを本体基部から分離する前に、複数の押さえ部材を前記外カバーに設けられた複数の開口を通して前記解除爪の挿入方向と同じ方向に挿入して内部の本体基部を押さえる押さえ機構と、
を備えたことを特徴とするレンズ付きフイルムユニットの分解装置。
【請求項２】
露光開口を挟んだ両側にフイルム収納室とカートリッジ室とを設けた本体基部と、この本体基部の外周の一部を覆う外カバーと、前記本体基部と外カバーとを互いに結合するために、本体基部と外カバーとの何れか一方に設けられた複数の係止爪と、他方に、前記係止爪に対応して設けられた被係止部と、前記外カバーに設けられ、前記複数の係止爪と被係止部との係合部をそれぞれ外部に露呈する係合解除用開口と、前記複数の係合解除用開口とは異なる位置に設けられ、前記本体基部の一部を外部に露呈する複数の開口とを備え、前記外カバーを前記本体基部から取り外すようにしたレンズ付きフイルムユニットの分解方法において、
前記レンズ付きフイルムユニットを分解位置まで搬送して該レンズ付きフイルムユニットの前面を上方に向けた姿勢で位置決めした後、前記複数の開口を通して上方から複数の押さえ部材をそれぞれ挿入してそれら押さえ部材で前記本体基部の一部を上方から同時に押さえるとともに、前記押さえ部材を挿入すると同時、又は挿入後に、複数の解除爪を前記係合解除用開口を通して前記係止爪と被係止部との係合部に前記押さえ部材と同じ挿入方向に挿入する第１の工程と、
前記解除爪を挿入した後に前記解除爪を前記係止爪の係止方向とは逆の方向に向けて移動して係止爪を撓ませることで、前記係止爪と被係止部との係合を解除する第２の工程と、
前記係合を解除した後に前記複数の解除爪のうちの互いに対向し合う少なくとも一対の解除爪を前記係止爪と被係止部とのいずれか一方が互いの結合位置を乗り越える高さまで移動することで前記外カバーを保持したまま本体基部から分離する第３の工程とから構成されていることを特徴とするレンズ付きフイルムユニットの分解方法。
【請求項３】
該レンズ付きフイルムユニットの組立時に前記外カバーと本体基部との取り付けを位置決めするために、前記本体基部に位置決めピンを、また前記外カバーには前記位置決めピンの先端面を外部に露呈した状態でその外周の一部に係合する位置決め用開口をそれぞれ設け、前記本体基部の一部を位置決めピンとし、また前記外カバーの開口を前記位置決め用開口としたことを特徴とする請求項２記載のレンズ付きフイルムユニットの分解方法。
【発明の詳細な説明】
【０００１】
【発明の属する利用分野】
本発明は、レンズ付きフイルムユニットの分解方法及び装置に関し、さらに詳しくは、レンズ付きフイルムユニットをリサイクルするときの分解作業を自動的に行う方法及び装置に関するものである。
【０００２】
【従来の技術】
従来、特願平６−１６１０４２号公報には、レンズ付きフイルムユニットをリサイクルするための分解方法が記載されている。その特願平６−１６１０４２号公報に記載の解除方法は、２部品を結合している複数の係止爪と被係止部との係合部にそれぞれ解除爪を挿入して係止爪を撓ませながら被係止部との係合を解除し、さらに複数の解除爪のうちの互いに対向し合う少なくとも一対の解除爪の一方を他方に向けて移動させて前記２部品のうちの一方を保持した後、前記一対の解除爪を挿入方向とは異なる方句に移動して前記２部品を分離している。
【０００３】
【発明が解決しようとする課題】
しかしながら、前述した公報記載の方法では、一対の解除爪を移動させて２部品のうちの一方の部品を保持したまま他方の部品から分離するときに、他方の部品が一方の部品と一緒に持ち上がってしまう恐れがある。このようになると、自動分解装置のトラブルとなり、分解作業が効率良く行えないという欠点があった。
【０００４】
本発明は、上述のような背景に鑑みてなされたもので、分離する部品を被分離部品から確実に分離するようにしたレンズ付きフイルムユニットの分解方法及び装置を提供することを目的とする。
【０００５】
【課題を解決するための手段】
上記目的を達成するために本発明の分解方法では、レンズ付きフイルムユニットを分解位置まで搬送して一定の姿勢で位置決めした後に、前記係止爪と被係止部との係合部に複数の解除爪をそれぞれ挿入して係止爪を撓ませながら被係止部との係合を解除するとともに、前記複数の解除爪のうちの互いに対向し合う少なくとも一対の解除爪の一方を他方に向けて移動させて前記外カバーを保持した後に、前記一対の解除爪を挿入方向とは逆の方向に、前記係止爪が被係止部との結合部を乗り越える高さまで移動して前記外カバーを本体基部から分離する結合解除・分離機構と；前記結合解除・分離機構が外カバーを本体基部から分離する前に、複数の押さえ部材を前記外カバーに設けられた複数の開口を通して前記解除爪の挿入方向と同じ方向に挿入して内部の本体基部を押さえる押さえ機構と；を備えたものである。
【０００６】
また、別の発明では、レンズ付きフイルムユニットを分解位置まで搬送して該レンズ付きフイルムユニットの前面を上方に向けた姿勢で位置決めした後、前記複数の開口を通して上方から複数の押さえ部材をそれぞれ挿入してそれら押さえ部材で前記本体基部の一部を上方から同時に押さえるとともに、前記押さえ部材を挿入すると同時、又は挿入後に、複数の解除爪を前記係合解除用開口を通して前記係止爪と被係止部との係合部に前記押さえ部材と同じ挿入方向に挿入する第１の工程と；前記解除爪を挿入した後に前記解除爪を前記係止爪の係止方向とは逆の方向に向けて移動して係止爪を撓ませることで、前記係止爪と被係止部との係合を解除する第２の工程と；前記係合を解除した後に前記複数の解除爪のうちの互いに対向し合う少なくとも一対の解除爪を前記係止爪と被係止部とのいずれか一方が互いの結合位置を乗り越える高さまで移動することで前記外カバーを保持したまま本体基部から分離する第３の工程と；から構成したものである。
【０００７】
前カバーを本体基部から分離するときには、爪結合を解除する解除爪で前カバーを保持し、解除爪の挿入方向とは逆の方向に移動して前カバーを本体基部から分離する。このとき、押さえ部材で押さえ付ける場合には、解除爪の挿入方向と同じ方向から押さえ付ける必要がある。このため、押さえ部材を前カバーの開口を通して押さえるようにしている。前カバーと本体基部とを位置決めするための位置決め手段を構成する複数の開口を、押さえ部材を挿入する複数の開口として利用すると、複数の開口の間隔及びサイズが精度良く形成されているため、押さえ部材の挿入を確実に行うことができる。
【０００８】
【発明の実施の形態】
図１は、ストロボ内蔵タイプのフイルムユニット２の外観を示すものである。フイルムユニット２は、撮影機構を備えたユニット本体３と、これを収納する外ケース４とから構成されており、この外ケース４を付けたままで写真撮影が行われる。外ケース４は、フイルムユニット２の外観を奇麗にするためのものであり、外面に印刷を施した紙箱又はプラスチックシート等が用いられる。この外ケース４からは、撮影レンズ５、ファインダー窓６、レリーズボタン７、撮影枚数表示板８、巻き上げノブ９、ストロボ充電スイッチ１０、ストロボ発光部１１、及びストラップ紐通し穴部１２が露出されている。ストラップ紐通し穴部１２は、フイルムユニットの左側面から突出して設けられている。
【０００９】
図２において、ユニット本体３は、写真フイルムカートリッジ１３、前カバー１４、後カバー１５、本体基部１６、ストロボユニット１７、及び露光ユニット１８とから構成されている。前カバー１４と後カバー１５とがユニット本体３の外カバーを構成している。露光ユニット１８は、フイルムカウンタ機構、シャッタ機構、フイルム巻止め機構、及び撮影レンズ５等の露光付与機構を一緒に組み込んで一体化したユニット部品であり、本体基部１６に設けたアパーチャー１９の前面に爪結合により着脱自在に取り付けられる。
【００１０】
本体基部１６には、アパーチャー１９を挟んだ両側に、カートリッジ２０が装填されるカートリッジ室２１と、カートリッジ２０からロール状の形態で引き出した未露光の写真フイルム２２が収納されるフイルム収納室２３とが一体に形成されている。本体基部１６の背面側は開口されており、ここに取り付けられる後カバー１５との間で写真フイルム２２を光密に収納する。カートリッジ室２１の上には、カートリッジ室に露呈してカートリッジのスプール２４に係合する巻き上げノブ９が着脱自在に設けられている。巻き上げノブ９は一部が後カバー１５に設けた開口２５から露呈している。露呈した巻き上げノブ９の一部を巻き上げ操作することで写真フイルム２２は、撮影するごとにフイルム収納室２３からカートリッジ室２１に向けて巻き上げられる。
【００１１】
カートリッジ室２１とフイルム収納室２３との底は開口となっており、後カバー１５の一部を薄厚にして開閉自在に形成したプルトップ式の底蓋２６，２７によって塞がれる。カートリッジ室２１の底蓋２６は、現像所でカートリッジ２０を取り出すときの蓋となる。
【００１２】
ストロボユニット１７は、プリント基板２８に、ストロボ充電回路等を含む回路要素、ストロボ発光部１１、シンクロスイッチ、電池接片、メインコンデンサ等の電子部品を一緒に取り付けてユニット化したストロボ部品と、電池接片に着脱自在に接続される電源電池２９とからなる。このストロボユニット１７は、爪結合により本体基部１６に着脱自在に取り付けられ、前カバー１４との間に配される。電源電池２９は、露光ユニット１８の下に、長手方向をフイルム給送方向に沿わした姿勢で配置される。
【００１３】
プリント基板２８には、ストロボ充電回路を作動させるための２つの接点が露呈されており、これらの接点と前カバー１４との間には、金属接片３０が配されている。金属接片３０は、ストロボ充電スイッチ１０の操作により弾性変形して前記接片を短絡する。
【００１４】
前カバー１４と本体基部１６とを結合する結合手段は、ユニット本体３の前面に２カ所、左右側面にそれぞれ２カ所ずつ設けられている。前面の２カ所は、前カバー１４の内壁に設けた係止爪３２，３３と本体基部１６に設けた被係止部３４，３５とからなる。係止爪３２は、本体基部に向けて突出した支持板とその先端に設けられた爪とからなり、支持板が弾性自在となっている。前カバー１４には、その爪を金型成形で形成するために必要な開口３６，３７が形成されている。これら開口３６，３７は、係止爪３２，３３と被係止部３４，３５との結合部を外部に露呈しており、通常は外ケース４によって隠されている。
【００１５】
残りの結合手段は、前カバー１４の左・右側面の端寄りに設けた開口３８〜４１と、本体基部１６の左・右側面に設けた爪突起４２〜４５とで構成されている。開口３８〜４１は、前カバー１４左・右側面の端を爪突起４２〜４５の爪を乗り越える高さまで弾性変形した後に爪突起４２〜４５が入り込むことでその爪に開口縁が係止される。
【００１６】
また、前カバー１４は、後カバー１５とも結合手段で結合されている。結合位置は、ユニット本体３の上面の二カ所の位置となっている。一カ所は、前カバー１４の上面の端寄りに設けた開口４７と、後カバー１５に設けた係止爪４８とで構成されている。係止爪４８は、上面の一部を切り欠いて弾性変形自在に設けられており、前カバー１４の開口４７の縁に係止される。他方の結合手段は、後カバー１５に設けた係止爪４９と、前カバー１４の上面の内壁に設けた被係止部５０とからなる。この係止爪４９は、開口２５の縁の内壁に形成されている。
【００１７】
また、後カバー１５も、本体基部１６との間で爪結合により着脱自在に取り付けられる。したがって、この例のフイルムユニット２では、本体基部１６に対して露光ユニット１８、ストロボユニット１７、前カバー１４、及び、後カバー１５がそれぞれ着脱自在に取り付けられている。ストラップ紐通し穴部１２は、本体基部１６に設けられている。
【００１８】
また、前カバー１４と本体基部１６とには、組立時に位置決めするための位置決め手段が複数設けられている。位置決め手段は、前カバー１４の前面に撮影レンズ５を挟んだ両側の位置に二カ所あり、そのうちの一方は、前カバー１４に設けた円状の開口５２と、前カバー１４の取り付け方向に本体基部１６から突出した円状の突起５３とで構成され、突起５３が開口５２の内部の縁に当接する。他方は、前カバー１４に設けた長穴状の開口５４と、前カバー１４の取り付け方向に本体基部１６から突出した長穴状の突起５５とで構成されており、突起５５の一部に開口５４の内部の縁が当接して前カバー１４を突起５３の軸線周りでの位置決めする。このようなフイルムユニット２は、使用後に工場に回収され、工場で分解される。
【００１９】
【実施例】
フイルムユニット２の分解ラインについて説明する。図３に示すように、フイルムユニットは、まず、外ケース取り外し工程６０に送られ、ここで、外ケース４が取り除かれる。また、外ケース４を取り外したフイルムユニット２は、前カバー浮き検査工程６２に送られる。
【００２０】
前カバー浮き検査工程６２からは、ユニット本体３をパレットに載置して各工程に搬送する分解ライン６３となっている。パレットには、ユニット本体３が前カバー１４を上方に向けた姿勢で固定される。各工程には位置決め手段が配置され、これらの位置決め手段により各ユニット本体３はパレット上で高精度で位置決めされる。
【００２１】
前カバー浮き検査工程６２では、ユニット本体３の高さを光電センサを用いて測定し、そのデータから前カバー１４が浮いているか否かを識別する。そして、浮いていないものだけを次工程に送る。
【００２２】
分解ライン５０は、前カバー浮き検査工程６２、前カバー外し工程６４、金属接片外し工程６５、電池蓋及び底蓋開き工程６６、カートリッジ有り製品排出工程６７、電源電池取り出し工程６８、ストロボユニット外し工程６９、後カバー外し工程７０、及び、巻き上げノブ及び後カバー排出工程７１の順で構成されている。そして、後カバー外し工程７０で後カバー１５が外された本体ユニット、すなわち本体基部１６と露光ユニット１８とを組み付けた形態としたものが、本体ユニット検査工程７２に搬送され、ここで検査等を行った後にリユースされる。
【００２３】
前カバー外し工程６４には、前カバー分解装置が配置されている。前カバー分解装置は、押さえ機構、結合解除機構、及び、分離機構で構成されている。ここで、ユニット本体３は前面を上方に向けた姿勢でパレットに位置決めされている。押さえ機構は、図４に示すように、複数の押さえ部材７５，７６，７８で本体基部１６及び後カバー１５をパレットに向けて押さえる。
【００２４】
複数の押さえ部材７５，７６，７８のうちの２つの押さえ部材７５，７６は、前カバー１４の前面から押さえる。一方の押さえ部材７５は、前カバー１４の開口５２を通して本体基部１６の突起５３を押さえる。また、他方の押さえ部材７６は、前カバー１４の開口５４を通して本体基部１６の突起５５を押さえる。残りの押さえ部材７８は、本体基部１６のストラップ紐通し穴部１２を上方から押さえる。
【００２５】
結合解除機構は、押さえ機構の押さえ動作に同期して、又は押さえ動作が行われた後に、複数の解除爪８０〜８７を前カバー１４に対して結合されている係合部に向けてそれぞれ挿入する。複数の解除爪８０〜８７のうちの解除爪８０、８１は、開口３６，３７を通して前カバー１４の内壁に設けた係止爪３２，３３と本体基部１６に設けた被係止部３４，３５と結合部に直進的に挿入される。その後、図１０に示すように、軸９１，９２を中心として回転することで係止爪３２，３３を撓ませて被係止部３４，３５との係合を解除する。
【００２６】
残りの解除爪８２〜８６は、図５に示すように、軸９５，９６を中心として回転することで開口３８〜４１，４７を形成した前カバー１４と後カバー１５との合わせ目に挿入され、開口３８〜４１，４７を設けた前カバー１４の左・右側面及び上面を爪突起４２〜４５，４８の高さを超える位置まで弾性変形させる。なお、図示していないが、解除爪８７は、駆動手段の駆動を利用して開口２５からユニット本体３の内部に直進的に挿入され、挿入後に回転駆動手段の駆動を利用して先端を回転して係止爪４９と被係止部５０との結合を解除する。係止爪４９と被係止部５０との結合を解除する方法としては、図６に示すように、破壊用治具で巻上げノブ９を露呈する開口２５の４縁のうちの最も弱い縁の壁２００を壊した後に、図７に示すように、解除棒７７で後カバー１５をその上面から底面に向けて押して後カバー１５の上面を弾性変形させることでも行ってもよい。
【００２７】
押さえ部材７５，７６は、図８に示すように、保持部材９０に保持されている。保持部材９０は、昇降自在に設けられ、駆動部８９の駆動により押さえ部材７５，７６を昇降させる。
【００２８】
押さえ部材７５の先端は、図９に示すように、ガイド部７５ａが設けられている。ガイド部７５ａは、周面がテーパー状となっており、押さえ部材７５を突起５３の先端に設けた開口５３ａにガイドする。ガイド部７５ａは、押さえ部材７５の先端面よりも小径で形成されている。これにより、押さえ部材７５は、先端面とガイド部７５ａとの間の隙間の平面７５ｂで突起５３の開口５３ａの周面５３ｂを押さえる。他方の押さえ部材７６も押さえ部材７５の先端と同じ形状となっている。
【００２９】
解除爪８０，８１は、図１０に示すように、互いに対向して配されており、軸９１，９２を中心として回転自在となっている。そして、解除爪８０，８１は、結合部に挿入された後に、互いが近寄る方向にそれぞれ回転して前カバー１４の係合を解除した後にこれを保持し、係止爪３２，３３が被係止部３４，３５を乗り越える高さまで挿入方向とは逆の方向に向けて前カバー１４を移動させて分離する。解除爪８０，８１のうちの少なくとも一方を他方に向けて移動させることで前カバー１４との係止を解除及び保持とを行う構成にしてもよい。
【００３０】
解除爪８０，８１は、図１１に示すように、チャック機構９３の駆動により軸９１，９２を中心として回転する。チャック機構９３は、駆動部９４とその駆動部９４の駆動を利用して解除爪８０，８１を同時に回転させる回転機構９９とで構成されている。そのチャック機構９３は、プレート１０５により保持されている。プレート１０５は昇降機構１０８により昇降されるとともに、プレート１０２に取り付けられている。昇降機構１０８は、駆動部１０７の駆動によりプレート１０５を昇降する。プレート１０２は、昇降機構９７により昇降される。昇降機構９７は、駆動部９８ａ，９８ｂの駆動によりプレート１０２を昇降する。
【００３１】
プレート１０２には、解除爪８２〜８５を回転させる一対の回転機構１００、１０１も取り付けられている。一方の回転機構１００は、駆動部１０３の駆動を利用して軸９６を中心に解除爪８２，８３を回転させる。他方の回転機構１０１も、駆動部１０４の駆動を利用して軸９５を中心に解除爪８４，８５を回転させる。これら回転機構１００，１０１は、プレート１０２が所定位置まで下降した後でかつチャック機構９３が作動する前又は同時に動作するように、昇降機構９７とチャック機構９３とに同期して制御される。なお、一方の回転機構１００は、ユニット本体３の横長さの種類に対応してスライドすることができる構造（図示なし）となっていてもよい。
【００３２】
パレットが前カバー外し工程６４に位置決めされると、その位置決め完了信号に応答して押さえ機構の駆動部８９が駆動して保持部材９０を所定位置まで下降する。保持部材９０が下降すると、押さえ部材７５，７６が前カバー１４の開口５２，５４を通して本体基部１６の突起５３，５５を押さえる。またこれらに加えて、他方の押さえ部材７８を用いて別の駆動機構により本体基部１６のストラップ紐通し穴部１２を上方から押さえてもよい。
【００３３】
押さえ機構からの押さえ完了信号を受けて昇降機構９７が動作してプレート１０２を所定位置まで下降させる。これにより、一対の解除爪８１，８０が前カバー１４の開口３６，３７を通して係止爪３２，３３と被係止部３４，３５との係合部に挿入される。このとき、解除爪８２〜８５がユニット本体３の左右側面の結合部に近傍まで下降する。なお、押さえ部材７５，７６あるいは押さえ部材７８をプレート１０２に取り付けることで、昇降機構９７を押さえ部材７５，７６あるいは押さえ部材７８の駆動機構としても用いることができ、押さえ機構の駆動部８９を単独で準備する必要がなくなり、コストダウンを図ることができる。
【００３４】
プレート１０２が所定位置に下降することに応答してチャック機構９３の駆動部９４が駆動して回転機構９９が解除爪８０，８１を内側に向けて回転させる。これにより、一対の解除爪８１，８０は、前カバー１４の係止爪３２，３３を撓ませ、これらの係止爪３２，３３と本体基部１６の被係止部３４，３５との係合を解除するとともに、このままの姿勢を保つことで前カバー１４を保持する。
【００３５】
また、プレート１０２が所定位置に下降することに応答して回転機構１００，１０１も作動する。これにより解除爪８２〜８５が回転して前カバー１４の左・右側面を爪突起４２〜４５の高さを超える位置まで弾性変形させる。なお、残りの解除爪８６，８７もプレート１０２が所定位置に下降することに応答して別の駆動機構によりそれぞれ挿入されて結合を解除する。なお、解除爪８７に代えて解除棒７７にて係止を解除してもよい。
【００３６】
前カバー１４に対する結合部のすべてが解除された後には、昇降機構１０８がプレート１０５を上昇させる。これにより、解除爪８０，８１が前カバー１４を保持した状態で上昇して前カバー１４を本体基部１６から分離する。このとき昇降機構９７が非動作となっているため、解除爪８２〜８５は解除位置のままで止まっている。また昇降機構１０８の上昇は、被係止部３４，３５が係止爪３２，３３との結合位置を超える高さで停止する。この高さまで上昇させることで、左・右側面の開口３８〜４１も爪突起４２〜４５を乗り越える位置となる。
【００３７】
チャック機構９３及び回転機構１００，１０１は、昇降機構１０８からの分離完了信号に応答して作動して解除爪８０〜８５を初期位置に戻して前カバー１４の保持及び爪外しを解除する。これにより、前カバー１４が解除爪８０，８１により外れて落下し、本体基部１６の上に置かれた状態となる。しかる後に昇降機構９７によりプレート１０２を上昇させ、前カバー１４の係合爪外し動作を完了させる。そして、次の工程にて既に係合の外れた前カバー１４を取り出して排出する。なお、前カバー外し工程６４で前カバー１４を排出してもよい。
【００３８】
上記実施形態で説明した前カバー１４が本願発明の外カバーに相当し、また、係止爪３２，３３と被係止部３４，３５とが本願発明の係止爪と被係止部とに、さらに、解除爪８１，８０が本願発明の一対の解除爪にそれぞれ相当する。本発明では、本体基部から分離する外カバーとしては前カバー１４に限らず、例えば後カバーとしてもよい。
【００３９】
なお、押さえ部材が押さえる位置としては、前カバー１４に設けた撮影窓を通して撮影レンズ５の鍔や鏡筒を押さてもよい。また、前カバー１４から露呈されるストロボ充電スイッチ１０を押さえてもよい。この場合には、ストロボ充電スイッチ１０を前カバー１４と別に設け、本体基部１６との間で挟装するように構成すればよい。
【００４０】
上記実施例では、分解ラインの各工程に配置した装置がレンズ付きフイルムユニットを構成する特定の部品を取り外すようになっているが、本発明ではこれらの部品に限定されることなく、いずれの部品でよい。また、各装置の動作も上記実施例に限定することなく、従来から周知の動作をもつ機構も採用することができる。また、上記実施例では、露光ユニット１８が本体基部１６から分離可能なタイプとしているが、本発明ではこれに限らず、分離できないタイプ、すなわち、本体基部１６に少なくとも撮影レンズやシャッタ機構等のメカ機構を組み込んだタイプでもよい。
【００４１】
【発明の効果】
以上詳細に説明したように、本発明では、解除爪で前カバーを本体基部から分離するときに、前カバーの開口を通して解除爪の挿入方向と同じ方向から押さえ部材を本体基部に押し当てて押さえるようにしたから、装置の構成が容易であり、ローコストでかつ確実に分離することができる。
【図面の簡単な説明】
【図１】レンズ付きフイルムユニットの外観を示す斜視図である。
【図２】ユニット本体の分解斜視図である。
【図３】リサイクル時に分解工程を示すフローチャートである。
【図４】前カバーを分離する押さえ部材と解除爪とを示す説明図である。
【図５】前カバーの左・右側面での結合を解除する解除爪を示す説明図である。
【図６】解除爪の解除方法の他の例を示す説明図である。
【図７】図６で説明した他の解除方法を用いて結合を解除する状態を示す説明図である。
【図８】押さえ機構を示す説明図である。
【図９】押さえ部材の先端形状を示す説明図である。
【図１０】前カバーの前面での結合を解除する解除爪を示す説明図である。
【図１１】結合解除及び分離機構を示す説明図である。
【符号の説明】
２　レンズ付きフイルムユニット
３　ユニット本体
１２　ストラップ紐穴部
１４　前カバー
１５　後カバー
１６　本体基部
３６，３７　開口
７５，７６，７８　押さえ部材
７７　　解除棒
８０〜８７　解除爪
【図１】
2004021066.tif 000003
【図２】
2004021066.tif 000004
【図３】
2004021066.tif 000005
【図４】
2004021066.tif 000006
【図５】
2004021066.tif 000007
【図６】
2004021066.tif 000008
【図７】
2004021066.tif 000009
【図８】
2004021066.tif 000010
【図９】
2004021066.tif 000011
【図１０】
2004021066.tif 000012
【図１１】
2004021066.tif 000013